(57)【特許請求の範囲】
【請求項１】
帯状のシートを巻回した巻回シートを収納し、前記巻回シートから引き出されたシートを任意の位置でその幅方向に切断するための巻回シート切断用収納箱であって、
前記巻回シートを収納するための箱体と、
前記箱体の上方を塞ぐ蓋と、
前記蓋の端縁において、前記蓋の上面から上方に突き出るように取付けられた帯状の切断刃と、
前記蓋に形成され、前記切断刃側に近い前縁部の幅が前記シートの幅方向の長さより大きく、かつ前記切断刃側から遠い後縁部の幅が前記シートの幅方向の長さ以下となる形状の開口とを備えた、巻回シート切断用収納箱。
【請求項２】
前記箱体は直方体形状を有し、前記蓋は前記箱体と一体的に形成されて前記箱体の上方を開閉自在とする矩形シート形状を有し、
前記開口は、前記切断刃の取付け方向と平行な底辺を有する台形形状を有し、前記台形形状の上辺は前記箱体の上端部に位置する請求項１記載の巻回シート切断用収納箱。
【請求項３】
前記開口を塞ぐように前記箱体に折曲げ自在でかつ一体的に形成され、前記開口とほぼ同一の台形形状を有するフラップをさらに備えた、請求項２記載の巻回シート切断用収納箱。
【請求項４】
前記フラップは、底辺と平行な位置において前記底辺側の部分が上辺側の部分に対して折曲げ自在とされる、請求項３記載の巻回シート切断用収納箱。
【発明の詳細な説明】
【０００１】
【発明の属する技術分野】
この発明は巻回シート切断用収納箱に関し、特に収納されたアルミホイル等の巻回シートを引き出し、所望の長さに切断する巻回シート切断用収納箱に関するものである。
【０００２】
【従来の技術】
図９は、従来の巻回シート切断用収納箱の外観形状を示した斜視図である。
図を参照して、従来のシート切断用箱５１は、巻芯２４に巻回された巻回シート２３が格納される直方体の箱形状を有している。シート切断用箱５１の上方を覆う開閉自在の開閉蓋１６には矩形形状の開口５２が形成されており、シート切断用箱５１を構成する一辺には帯状の切断刃２５が取付けられている。
【０００３】
次に、このシート切断用箱５１の使用方法について説明する。
まず開閉蓋１６を開いた状態で巻回シート２３をシート切断用箱５１内に収納する。この状態で図示しない部品によって巻芯２４は両端支持され、巻回シート２３は回動自在となる。そして巻回シート２３の端部からホイルシート３４を引き出し、これを開口５２内を外方に挿通させた状態で開閉蓋１６を閉じる。次に、引き出されたホイルシート３４を切断刃２５を跨ぐように引き出して、これを下方に押し込むことによって、ホイルシート３４は切断刃２５によって切断される。
【０００４】
このようにして、ホイルシート３４を巻回シート２３から開口５２を通して次々と引き出し、所望の位置で切断刃２５によって切断して使用していた。
【０００５】
【発明が解決しようとする課題】
上記のような従来のシート切断用箱であっては、シートを切断する際に開閉蓋１６をいちいち開ける必要がなく連続的に引き出して切断できるので、アルミホイルの短片を次々と使用するような、例えば美容室での使用において使い勝手が良いものである。
【０００６】
しかしながら、従来のシート切断用箱であれば、切断されて残った巻回シート側のシートが場合によって巻き戻される事がある。そしてその程度によっては、開口５２を逆行し、引き出されたシートが全てシート切断用箱内部に戻ってしまう場合がある。そのため、次に使用する際には、開閉蓋１６を開けて、再度巻回シート２３からシートを引き出して開口５２を挿通させて外方に引き出す必要がある。そのため連続的なシートの引き出し及び切断をするような場合には、必ずしも使い勝手が良いとは言えなかった。
【０００７】
図１０は、このシートの巻き戻り現象を説明するための図であって、図９におけるシート切断用箱５１の平面図である。
図を参照して、開口５２の横手方向の長さ、即ち、端縁５３ａ，５３ｂ間の距離Ｌは、ホイルシート３４を開口５２からスムーズに引き出すためにホイルシート３４の幅方向長さＷより大きく設定されている。そのため、ホイルシート３４が切断された後、残されたシートを押えていない場合、巻回シート２３の回転バランス等によってシートの巻き戻し力が生じたときには、残されたシートは全く抵抗なく、シート切断用箱５１内部に戻ってしまうことになる。
【０００８】
この発明は上記のような課題を解決するためになされたもので、引き出されたシートが切断された後でも、残ったシートを手で押えることなくその巻き戻りが阻止される巻回シート切断用収納箱を提供することを目的とする。
【０００９】
【課題を解決するための手段】
上記の目的を達成するために、請求項１記載の発明は、帯状のシートを巻回した巻回シートを収納し、巻回シートから引き出されたシートを任意の位置でその幅方向で切断するための巻回シート切断用収納箱であって、巻回シートを収納するための箱体と、箱体の上方を塞ぐ蓋と、蓋の端縁において、蓋の上面から上方に突き出るように取付けられた帯状の切断刃と、蓋に形成され、切断刃側に近い前縁部の幅がシートの幅方向の長さより大きく、かつ切断刃側から遠い後縁部の幅がシートの幅方向の長さ以下となる形状の開口とを備えたものである。
【００１０】
このように構成すると、切断された後の巻回シート側のシートが後退しようとすると、シートの両側縁が開口の前縁と後縁部とをつなぐ側縁部の各々に接触する。
請求項２記載の発明は、請求項１記載の発明の構成において、箱体は直方体形状を有し、蓋は箱体と一体的に形成されて箱体の上方を開閉自在とする矩形シート形状を有し、開口は切断刃の取付け方向と平行な底辺を有する台形形状を有し、台形形状の上辺は箱体の上端部に位置するものである。
【００１１】
このように構成すると、シートは台形形状の開口の側辺の各々において接触し、その巻き戻りが阻止される。
請求項３記載の発明は、請求項２記載の発明の構成において、開口を塞ぐように箱体に折曲げ自在でかつ一体的に形成され、開口とほぼ同一の台形形状を有するフラップをさらに備えたものである。
【００１２】
このように構成すると、フラップで開口を塞ぐことが自在となる。また、開口が形成されていない蓋に対して、開口の台形形状の上辺を除く辺に対応した部分を切断することで開口とフラップとが形成される。
請求項４記載の発明は、請求項３記載の発明の構成において、フラップは底辺と平行な位置において底辺側の部分が上辺側の部分に対して折曲げ自在とされる。
【００１３】
このように構成すると、フラップの底辺側の部分を下方に折曲げ、かつ上辺において上辺側の部分を箱体に対して内方側に折曲げるとフラップを箱体内部に収納できる。
【００１４】
【発明の効果】
以上説明したように、請求項１記載の発明は、切断後後退しようとするシートは、開口の側縁部に接してその後退が阻止される。従って、シートが箱体内に巻き戻るのが防止され、蓋からシートの一部が常に出た状態となり、使い勝手が向上する。
【００１５】
請求項２記載の発明は、請求項１記載の発明の効果に加えて、シートに対して開口の大きさが設定し易く、またシートの巻き戻り阻止動作が安定して発揮される。
請求項３記載の発明は、請求項２記載の発明の効果に加えて、シートを引き出さないときには、このフラップで開口を塞ぐことができ、使い勝手が向上する。また、開口が形成されていない蓋に対して所定箇所を切断することで、開口とフラップとを容易に形成できる。
【００１６】
請求項４記載の発明は、請求項３記載の発明の効果に加えて、シートが多く引き出され巻回シートの外径が小さくなってくると、開口におけるシートの巻き戻り防止機能が低下する。この場合、フラップの底辺側の部分を下方に折曲げ、かつ上辺で上辺側の部分を箱体に対して内方側に折曲げて箱体の後壁部と巻回シートとの間にこのフラップを折り込む。すると、フラップの曲げの反発力で、フラップは巻回シートの外面を常時押圧することになる。そのため、巻回シートの外径が小さくなった状態でも、引き出されたシートの巻き戻りが阻止される。
【００１７】
【発明の実施の形態】
図１は、この発明の第１の実施の形態による巻回シート切断用収納箱たるシート切断用箱の外観形状を示した斜視図である。
図を参照して、紙製のシート切断用箱１４は直方体形状の箱体１５と、箱体１５と一体的に形成され、箱体１５の上部を開閉自在とする開閉蓋１６と、箱体１５の正面壁２１の上端部に設置される、例えば合成樹脂製の切断刃２５とから構成される。尚、使用の前のシート切断用箱１４において、切断刃２５が外方に露出していると安全性の面で好ましくないため、これを覆うようにして開閉蓋１６の折り曲げ片２０は、箱体１５の正面壁２１の両側に形成された差込み用スリット２２ａ，２２ｂに差し込まれた状態となっている。
【００１８】
また、開閉蓋１６の上面には、切断刃２５の取付け方向と平行に直線状のスリット１７が形成されており、スリット１７の両端側から箱体１５の後壁側に向かってミシン目１８ａ，１８ｂの各々が形成されている。そしてミシン目１８ａ，１８ｂの各々の途中からスリット１７に向かってミシン目２６ａ，２６ｂが形成されている。これらのミシン目は使用の際に、はさみ等を用いずにその部分から容易に切断できるように設けられたものである。スリット１７は使用前から切断された状態となっているのは、設断面を平滑に保ち、使用時にその部分で接するホイルシートに損傷を与えないためである。尚、ミシン目１８ａ，１８ｂとミシン目２６ａ，２６ｂとの交点を結ぶ罫線１９が形成されており、これは、罫線１９を境にして両側の部分を折曲げ自在とするために設けられたものである。
【００１９】
またシート切断用箱１４の内部には、帯状のアルミホイル等のシートが巻芯２４に巻回された、円柱形状の巻回シート２３が収納されている。尚、巻芯２４は本図では図示していない保持板によってその両端が保持されており、巻回シート２３は巻芯２４と共に回動自在の状態で収納されている。
図２は、図１の状態から、開閉蓋１６の折り曲げ片２０を正面壁２１の差込み用スリット２２ａ，２２ｂから上方に抜き出し、折り曲げ片２０を切断刃２５の内側に差し込んだ状態を示した平面図である。これによって、切断刃２５は開閉蓋１６の端部の上面から突き出た態様で露出する。これによって、切断刃２５は引き出されたシートを切断できる状態となる。
【００２０】
また、上述したように巻芯２４を回動自在に保持するための巻芯保持板２７ａ，２７ｂが箱体１５に収納されており、また巻芯保持板２７ａ，２７ｂは巻回シート２３の軸方向へのぶれを制限して、シートが安定した回転状態で外方に引き出されることを補助している。このシート切断用箱を使用する際には、開閉蓋１６の表面に形成されたミシン目１８ａ，１８ｂを利用して、スリット１７とともにこの部分で切断して内方部分をフラップ３１とする。尚、フラップ３１において、さらにミシン目２６ａ，２６ｂの部分でも切断して斜線で示された部分を除去すると、後述するようにより使い勝手が向上する。
【００２１】
図３は、この発明の第１の実施の形態による巻回シート切断用収納箱の使用状態を示した斜視図である。
図を参照して、使用の際には開閉蓋１６を上方に開け、巻回シート２３から一部シートを引き出し、引き出されたシートを、フラップ３１を形成することによって同時に形成された開口３５を通して外方に挿通させ、その状態で開閉蓋１６を閉じる。尚、フラップ３１は罫線１９を境とした平坦部３２に対して折曲げ部３３を上方に若干引き起こした状態としておくと開口３５の露出部分が大きくなり、ホイルシート３４の引き出しがよりスムーズとなる。
【００２２】
引き出されたホイルシート３４を切断する際には、ホイルシート３４を切断刃２５を跨ぐようにしてさらに引き出し、所望の位置において引き出された部分を切断刃２５に対して下方に押えつけるようにする。これによって引き出されたホイルシート３４は切断刃２５によってその幅方向に切断される。次に新たなシートを切断する際には、切断後残っているホイルシート３４をさらに引き出し、同様の操作で切断刃２５によって所定の位置で切断すれば良い。
【００２３】
ところで、従来のシート切断用箱であれば、切断後に残されたホイルシート３４は箱体１５内部に巻き戻される恐れがあったが、この実施の形態によるシート切断用箱１４においてはこのような恐れがない。
図４は、このような巻き戻り阻止機能を説明するための図３の平面図であり、図５は、図４のＶ−Ｖラインの断面図である。
【００２４】
これらの図を参照して、開閉蓋１６に形成された開口３５はその底辺が切断刃２５の設置方向と平行で、かつその上辺が開閉蓋１６の上縁側に位置するほぼ台形形状を有している。尚、開口３５の台形形状の下辺に相当する前縁部２８の長さＬ1 は、ホイルシート３４の幅方向長さＷより大きくなっており、開口３５の上辺に相当する後縁部２９の長さＬ2 は、ホイルシート３４の幅方向長さＷより小さく設定されている。そして、開口３５の前縁部２８と後縁部２９とを繋ぐ側縁部３６ａ，３６ｂのポイントＰ1 ，Ｐ2 においてその相互間距離がホイールシート３４の幅Ｗに一致している。
【００２５】
図５に示されているように、巻回シート２３から引き出されたホイルシート３４には、切断刃２５によって切断される前には、引き出しによる引張力が生じているため、ホイルシート３４は開口３５の前縁部２８を摺動する状態となっている。そして、前縁部２８の長さＬ1 は上述のようにホイルシート３４の幅Ｗより大きく設定されているため、ホイルシート３４の引き出しはスムーズに行われる。
【００２６】
次に、引き出されたホイルシート３４が切断刃２５によって切断されると、残されたホイルシート３４には引き出しによる引張力が生じないため、二点鎖線で示すようにその前端部が持ち上がるように変化する。ところが、開口３５の側縁部３６ａ，３６ｂは、ポイントＰ1 ，Ｐ2 を境にして、後端部、即ち図５で言えば、左方向に行くに従って開口３５の幅がホイールシート３４の幅Ｗ以下となるように狭まっている。従って、切断後起き上がったホイルシート３４はその幅が一致するポイントＰ1 ，Ｐ2 の位置より上方には持ち上がらないことになる。即ち、切断されて残されたホイルシート３４はポイントＰ1 ，Ｐ2 の位置で側縁部３６ａ，３６ｂに接触することによってその移動が阻止され、結果として切断後のホイールシート３４の巻き戻り動作が阻止される。ホイルシート３４の幅Ｗと開口３５の形状との関係は使用状態において変わることがないため、ホイルシート３４を連続して引き出し、かつ切断するような動作を繰り返したような場合でも、常時ホイルシート３４の巻き戻り動作が防止されることになる。
【００２７】
図６は、図５に対応する断面図であって、使用状態の他の例を示す断面図である。
図５においては、フラップ３１に対して特に力を加えることなく使用しているが、図６においては、フラップ３１の平坦部３２に矢印に示す方向に力を加えた場合の状態を示している。引き出されたホイルシート３４を切断刃２５で切断した後、図のように平坦部３２に力を加えると、この押圧によって切断されて残されたホイルシート３４の先端は矢印のようにさらに上方に持ち上がる。このため、図５に示した状態に比べて、ホイルシート３４はより上方に位置し、かつ切断刃２５から離れるので、ホイルシート３４の先端をより掴み易くなる。これによって、ホイルシート３４の連続した引き出しを安全で、かつスムーズに行うことができる。
【００２８】
図７は、図４に対応する図であって、フラップ３１のさらに他の使用例を示した図である。
図を参照して、フラップ３１の折曲げ部３３を平坦部３２に対して重なるように折り返している。これによって、折曲げ部３３の両端部は必ず開閉蓋１６の上面に接する状態となる。このため、図４の使用例であれば、フラップ３１を指で押さえていると、フラップ３１が開口３５より下方に移動してしまい、巻回シート２３にフラップ３１が接触してホイール３４の引き出しに抵抗を与える恐れがあった。しかし、図７のように使用すると、折曲げ部３３の上に指を載せたような状態であっても、フラップ３１は開口３５より下方に移動することがなく、安定した使用が可能となる。
【００２９】
図８は、図５及び図６に対応する図であって、フラップ３１の他の使用例を示した図である。
巻回シート２３からホイルシート３４が多く引き出されて使用されると、巻回シート２３の外径は引き出し当初に比べて小さくなってくる。この場合、図５に示した当初の状態と比べて、切断されて残されたホイルシート３４の上方への浮き上がりが小さくなるので、開口３５のポイントＰ1 ，Ｐ2 へのホイルシート３４の接触力が小さくなって、ホイルシート３４の巻き戻り防止機能が低下する。この場合、フラップ３１の折曲げ部３３を平坦部３２に対して下方方向に折曲げ、さらに平坦部３２の背面壁４１との接続部分で下方に折曲げる。このようにして、フラップ３１を箱体１５の背面壁４１の内面と巻回シート２３の外面との間に押し込む。この場合、図２で示されているように斜線部をフラップ３１から除去していると、押し込み時にフラップ３１が巻芯保持板２７ａ，２７ｂに接触することがないので都合が良い。
【００３０】
このようにフラップ３１が設置されると、平坦部３２及び折曲げ部３３の曲げによって巻回シート２３の外面はフラップ３１によって常時押圧されることになる。従って、巻回シート２３から引き出されたホイルシート３４は切断刃２５によって切断された後においても巻き戻りにくくなり、連続した引き出し状態がスムーズに保持される。また、このようにフラップ３１を箱体１５内に折り込むと開口３５は全面露出することになる。従って、仮に切断後のホイルシート３４が巻き戻されて箱体１５内部に収納されてしまったような場合でも、開閉蓋１６を再度開けることなく開口を通してホイルシート３４を容易に引き出すことが可能となる。このようにして、収納された巻回シートからホイールシートを最初から最後まで開閉蓋１６を再度開けることなくスムーズに引き出せ、任意の位置で切断して使用することができる。
【００３１】
尚、本願発明の開口としての台形形状の概念は、幾何学的な台形形状のみならず、上記の実施の形態で示されているような、側縁部が一直線ではなく折れ曲がっている形状や、側縁部が直線ではなく曲線で構成されている形状も含むものである。
また、上記の実施の形態においては、蓋の開口はフラップの形成と共に形成されているが、フラップは必ずしも必要ではなく、同様の開口形状であれば、開口のみ蓋に形成されていてもよい。
【００３２】
さらに、上記の実施の形態においては、開口は開閉蓋に形成されているが、開閉蓋以外の他の面に形成されていてもよい。
さらに、上記の実施の形態においては、巻回シートとしてアルミホイルを対象としているが、これ以外のシート例えば透明フィルムシート等に対しても本願発明を同様に適用することができる。
【図面の簡単な説明】
【図１】この発明の第１の実施の形態によるシート切断用箱の外観形状を示した図である。
【図２】図１シート切断用箱の平面図であって、切断刃を露出した状態を示した図である。
【図３】図１のシート切断用箱の使用状態を示した斜視図である。
【図４】図３のシート切断用箱の平面図である。
【図５】図４のＶ−Ｖラインの断面図である。
【図６】図５に対応した図であって、使用状態の他の例を示す断面図である。
【図７】図４に対応する図であって、使用状態のさらに他の例を示す平面図である。
【図８】図５及び図６に対応する図であって、使用状態のさらに他の例を示す断面図である。
【図９】従来のシート切断用箱の外観形状を示した図である。
【図１０】図９のシート切断用箱の平面図である。
【符号の説明】
１４・・・シート切断用箱
１５・・・箱体
１６・・・開閉蓋
２３・・・巻回シート
２５・・・切断刃
２８・・・前縁部
２９・・・後縁部
３１・・・フラップ
３４・・・ホイルシート
３５・・・開口
３６ａ，３６ｂ・・・側縁部
尚、各図中同一符号は同一又は相当部分を示す。
【図１】
0004216398.tif 000002
【図２】
0004216398.tif 000003
【図３】
0004216398.tif 000004
【図４】
0004216398.tif 000005
【図５】
0004216398.tif 000006
【図６】
0004216398.tif 000007
【図７】
0004216398.tif 000008
【図８】
0004216398.tif 000009
【図９】
0004216398.tif 000010
【図１０】
0004216398.tif 000011